(57)【要約】【課題】組み合わせ敷居等の構成物において、接合時の継目を上面から見た場合に見えにくくし、すっきりとした構成物を提供すると共に、２種類の部材のみの組み合わせ方法だけで多様な凹溝を有する構成物を作成する。【解決手段】第１部材１のつば部６の下の側面の長さｈ１と第２部材１０の平面部１６を有する側の側面の長さｈ２を同一にし、第１部材１のつば部６の下の巾ｗ１と第２部材１０の平面部１６の巾ｗ２を同一にする事で第１部材１のつば部６の下に第２部材１０の平面部１６が入り込んでしまう事で第２部材１０の凹溝１３内に接合時の上面側の継目２１が位置することで、上面から見た場合に継目２１が見えにくくなる。また、第２部材１０同士も接合可能な事から多数の凹溝４、１３を有する構成物を２種類の部材のみで構成する事が可能となる。【選択図】　図３
2004036376.tif 000002
【特許請求の範囲】
【請求項１】
床面に敷設される長尺の建築部材であって、いずれも長手方向に伸びる第１部材と第２部材とを接合する構成とされていると共に、少なくとも第２部材の上面には凹溝が設けられており、且つ、第１部材と第２部材との接合面の上面側の継目が第２部材に設けられた上記凹溝内に位置するように、これらの接合面が形成されている事を特徴とする建築部材。
【請求項２】
第１部材は、両側面にそれぞれ第２部材を接合可能とされている事を特徴とする請求項１に記載の建築部材。
【請求項３】
第２部材は、複数本を隣接させて接合可能とされ、これらの接合面が、その上面側の継目が一方の第２部材の凹溝内に位置するように形成されている事を特徴とする請求項１に記載の建築部材。
【請求項４】
各部材の接合面には、互いに嵌合して隣接する部材同士を結合する嵌合部が設けられている事を特徴とする請求項１から請求項３のいずれかに記載の建築部材。
【発明の詳細な説明】
【０００１】
【発明が属する技術分野】
本発明は、住宅用建築部材における間仕切り、引戸等の設置時に床面に設けられる建築部材に関する。
【０００２】
【従来の技術】
従来の技術としてドアにおいては沓摺り、引戸においては敷居があり、木材・合成樹脂などで形成されており、全体として１つの素材（例えば無垢の木材）からなる場合と２種類以上の部材を接合する組み立て式がある。
【０００３】
組み立て式としては特開平１０−１９６２３３や特開平９−２４２４２８等が提案されている。
【０００４】
特開平１０−１９６２２３においては各部材の組み合わせ方法により右開き、左開き、両開きの引戸用敷居として使用できる造作材の提案がされている。
【０００５】
また、特開平９−２４２４２８においては各部材を組み合わせる事により、全体として１つの素材（例えば無垢の木材）からなる敷居、鴨居等に比較して長手方向の反りを少なくする事が可能な構成材の提案がされている。
【０００６】
【発明が解決しようとする課題】
しかし、上記の造作材や構成材は各種部材を接合した時に継目が上面から見えてしまい余りすっきりとしない事と、特開平９−２４２４２８においては２本引戸以上の敷居として使用する場合に３種類の部材を必要とし接合パターンが多いことから間違えて接合する可能性がある。
【０００７】
そこで本発明は接合時の継目を上面から見えにくくすっきりとさせ、且つ多種類の部材を使用せずに様々な形状に対応する事が可能な建築部材構造を提供する事を課題とする。
【課題を解決するための手段】
上記課題を解決するため、本発明は次のように構成した事を特徴とする。
【０００８】
まず、本願請求項１に記載の発明は、床面に敷設される長尺の建築部材であって、いずれも長手方向に延びる第１部材と第２部材とを接合する構成とされていると共に、少なくとも第２部材の上面には凹溝が設けられており、かつ、第１部材と第２部材との接合面の上面側の継目が第２部材に設けられていた上記凹溝内に位置するように、これらの接合面が形成されている事を特徴とする。
【０００９】
この発明により従来の欠点であった上面から見える接合時の継目が第２部材の凹溝内に位置する事で見えにくくする事が可能となる。
【００１０】
また、本願請求項２に記載の発明は、第１部材は両側面にそれぞれ第２部材を接合可能とされている特徴とする。
【００１１】
この発明によれば第１部材の両側面に第２部材を接合できることで、接合時の混乱を防止できると共に、３本引戸用の敷居として用いる場合でも、第１部材の両側面に第２部材を接合するだけで容易に前記の様な構成を造る事が可能となる。
【００１２】
また、本願請求項３に記載の発明は、第２部材は、複数本を隣接させて接合可能とされ、これらの接合面が、その上面側の継目が一方の第２部材の凹溝内に位置するように形成されている事を特徴とする。
【００１３】
この発明によれば第１部材に第２部材を接合し、さらに第２部材を接合する事で２本引戸以上の引戸用敷居として使用する場合でも２種類の部材のみで対応する事が可能となると共に、第２部材同士の接合時でも、一方の第２部材の凹溝内に上面側の継目が位置するで上面から継目を見えにくくする事が可能となる。
【００１４】
また、本願請求項４に記載の発明は、各部材の接合面には、互いに嵌合して隣接する部材同士を接合する嵌合部が設けられている事を特徴とする。
【００１５】
この発明によれば、各部材の接合においてはそれぞれの部材の嵌合部同士を嵌合するだけで接合を容易に行う事が可能となる。
【００１６】
尚、各部材を構成する基材としては無垢の木材や各種合成樹脂等を用いる事ができる。
【００１７】
またそれらの部材には必要に応じて化粧紙、化粧シート等を接着させたり、印刷、塗装などによる化粧を施す事も可能である。
【００１８】
各部材は切削加工、押出加工等によって所定の形状に加工される。
【００１９】
【発明の実施の形態】
以下に本発明の実施の形態について説明する。
【００２０】
この発明の実施の形態に係る建築部材は敷居として用いるものであって、第１部材１と第２部材１０とで構成される様になっている。
【００２１】
まず、図１に示すように第１部材１は全体として凹状で左右対称の構成物で両側面５、５の上面にそれぞれ左右に伸びるつば部６、６を有し、その下に接合用の嵌合凹部２、２と嵌合凸部３、３があり、上面中央部に凹溝４を有する。
【００２２】
次に図２に示すように第２部材１０は全体として凹状の構成物で片方の側面１４ａの上面に側方に伸びるつば部１５を有し、その下には嵌合凹部１２ａと嵌合凸部１１ａを有し、もう一方の側面１４ｂの上面にはつば部１５の厚みｔ２の分だけ低くなった平面部１６を有し、その側面１４ｂには嵌合凸部１１ｂと嵌合凹部１２ｂを有し、上面中央部には凹溝１３を有しており、つば部１５を有する側の側面１４ａは第１部材１の側面５、５の形状と一致する。
【００２３】
そして、側面５、５、１４ａと側面１４ｂとを合せた時にそれぞれの嵌合凹部２、２、１２ａと嵌合凸部１１ｂが嵌合し、嵌合凸部３、３、１１ａが嵌合凹部１２ｂと嵌合する事で容易に接合する事が可能となっている。
【００２４】
ここで図３に示す様に第１部材１と第２部材１０を接合した場合、第１部材１のつば部６の下の側面の長さｈ１と第２部材１０の平面部１６を有する側の側面１４ｂの長さｈ２が一致し、且つ、第１部材１のつば部６の下の巾ｗ１が第２部材１０の平面部１６の巾ｗ２と一致する事で第２部材１０の平面部１６を有する側の側面１４ｂが第１部材１のつば部６の下に入り込み結果としてて接合時の上面側の継目２１が第２部材１０の凹溝１３の内側面に位置し、結果として上面から接合時の継目２１が見えにくくなる。
【００２５】
よって、図３の様に床板２０に接合した構成物を敷設する事で２本引戸用の敷居として使用可能となる。
【００２６】
また、前記した様に第１部材１は左右対称な形状をしている事から、どちら側の側面５にでも第２部材１０を接合する事が可能で、どちら側の側面５に第２部材１０を接合しても接合時の上面側の継目２１は、第２部材１０の凹溝１３の内側面に位置する事になる。
【００２７】
よって、図４に示す様に第１部材１のどちら側の側面５にでも第２部材１０を接合可能である事から、第１部材１のそれぞれの側面５、５に第２部材１０を接合する事で３つの溝を有する構成物を作ることが可能となり、３本引戸用の敷居として使用できる。
【００２８】
次に図５に示す様に第２部材１０同士を接合する場合、第２部材１０のつば部１５を有する側の側面１４ａは第１部材１の側面５、５の形状と一致する事から第２部材１０のつば部１５を有する側の側面１４ａに別の第２部材１０の平面部１６を有する側の側面１４ｂを接合する事で第２部材１０同士を接合する事が可能となり、且つ、接合時の上面側の継目２１は第１部材１と第２部材１０を接合した場合と同様に第２部材１０の凹溝１３の内側面に位置する事で、上面からの接合時の継目２１は第２部材１０同士の接合の場合でも見えにくくなる。
【００２９】
よって第１部材１に第２部材１０を接合した場合も、第２部材１０同士を接合した場合も接合時の上面側の継目２１は第２部材１０の凹溝１３の内側面に位置する事で上面から見た場合に継目２１は見えにくくなる。
【００３０】
これにより、第２部材１０に別の第２部材１０を多数接合する事で無限に凹溝４、１３を有した構成物を容易に作成できる。
【００３１】
よって、第１部材１と第２部材１０の２種類の部材だけで多数の凹溝４、１３を有した構成物を容易に作成できる。
【００３２】
また、片引用の敷居として使用する場合は第１部材１に凹溝４を設けずに作成し、それに第２部材１０を接合する事で片引用の敷居として使用することができる。
【００３３】
なお、第１部材１と第２部材１０のそれぞれに配置されているつば部６、６、１５の厚みは３．０ｍｍ以内とし、つまづきを防止すると共にバリアフリー用途に活用できる。
【００３４】
なお、接合する際には接着剤、両面テープ等での補強をしても良い。
【００３５】
これら２種類の部材を嵌合させたものを敷居として使用する場合、凹溝４、１３にレールを嵌め込んで使用することがある。この場合のレールの抜けやズレを防止するために凹溝４、１３の側面に長手方向に向かってローレットの様な凹凸を配設しても良い。
【００３６】
また、この嵌合された部材を敷居として使用する場合は戸枠とビスで通常固定する。本部材にはその時の固定作業をスムースにする事を目的としたビス止め用誘導穴７、７、１７を配設しても良い。
【００３７】
【発明の効果】
以上の様に本発明によれば少なくとも２つの部材において構成され、少なくともその片方の部材には凹溝が設けられており、２つの部材を接合した時の継目が凹溝を有した方の部材の凹溝の中にあり、表面からは見えにくくなり、すっきりとした建築部材を提供できる。
【００３８】
また、この部材を敷居として使用する場合、２種類の部材を嵌合させるだけで３本引戸以上の引戸用敷居として使用することが可能となり、接合時の間違いを少なくできると共に、在庫や生産等の管理面でも容易になる。
【００３９】
更に、嵌合に関してはそれぞれの部材に設けられたそれぞれの嵌合凹部と嵌合凸部を嵌合するだけで、容易に嵌合が可能となっている。
【図面の簡単な説明】
【図１】本願発明の実施の形態における第１部材の構成を示す断面図である。
【図２】本願発明の実施の形態における第２部材の構成を示す断面図である。
【図３】第１部材と第２部材を接合した時の、実際の使用例に当る斜視図である。
【図４】第１部材と第２部材の接合パターンを示す断面図である。
【図５】第２部材同士の接合を示す断面図である。
【符号の説明】
１　　　第１部材
２　　　嵌合凹部
３　　　嵌合凸部
４　　　凹溝
５　　　側面
１０　　第２部材
１１ａ、１１ｂ　　嵌合凸部
１２ａ、１２ｂ　　嵌合凹部
１３　　凹溝
１４ａ、１４ｂ　　側面
２１　　継目
【図１】
2004036376.tif 000003
【図２】
2004036376.tif 000004
【図３】
2004036376.tif 000005
【図４】
2004036376.tif 000006
【図５】
2004036376.tif 000007